(57)【要約】【課題】本発明は、盤体と脚部からなるブロックの使用に当たり、板材の挿入によりユニットの高さと板材を挿入したユニットの高さが同一となるブロックと板材の形状の提案にある。【解決手段】盤体と盤体に開口し盤体の平面に対し一方向に突出する脚部とからなるブロックであって、前記脚部を対向させて得られるユニットと前記ユニットにおける脚部が接する部分に挿入する板において、前記脚部の底部には溝が設けられ、板と脚部の接する部分は梁とされ、梁は上下対称に脚部の溝に嵌合するように設けられたユニットと板との組み合わせになる部材である。【選択図】図３
2014105559.tif 000002
【特許請求の範囲】
【請求項１】
盤体と盤体に開口し盤体の平面に対し一方向に突出する脚部とからなるブロックであって、前記脚部を対向させて得られるユニットと前記ユニットにおける脚部が接する部分に挿入する板において、前記脚部の底部には溝が設けられ、板と脚部の接する部分は梁とされ、梁は上下対称に脚部の溝に嵌合するように設けられたユニットと板との組み合わせになる部材。
【請求項２】
請求項１記載の部材を前後左右に配置して得られた構造部材。
【発明の詳細な説明】
【技術分野】
【０００１】
本発明は、部材と部材を配置した構造部材を利用する雨水流出抑制施設あるいは軽量盛土に適用する技術に属する。
【背景技術】
【０００２】
雨水等の流出抑制を目的として、プラスチックなどで製造されたブロックを地下に配列充填し貯留空間を形成し、その周囲を透水性シート、あるいは遮水シートで覆った雨水等の貯留浸透槽が普及している。この目的のため各種の異なる形状のブロックが例えば特開昭63-268823、特開昭63-293233、特開平10-252108、特開平11-222886などに提案且つ使用されている。いずれの方法においても貯留空間に一時貯留した雨水等を、地下水位の低い場所では透水性シートを介して地中に浸透させ、地下水位の高い場所では遮水シートで地下水の槽内への侵入を防ぎ、徐々に下水等に放流する。特開平10-252108、特開平11-222886には盤体と盤体に開口する脚部からなるブロックが開示されている。
かかるブロックは地中に埋設して使用する際、その深さにより水平強度を高めるためブロックの脚部を対向させたユニットとして使用し、脚部の接触部分に板材を挿入し盤体と板材により水平強度を向上させることが行われる。その際、板材の挿入によりユニットの高さと板材を挿入したユニットの高さが同一となることが要求される場合がある。
また特開１９９９−０３６３８３に示すように同じブロックを軽量盛土の芯として使用することも提案されている。
【先行技術文献】
【特許文献】
【０００３】
【特許文献１】特開昭63-268823
【特許文献２】特開昭63-293233
【特許文献３】特開平10-252108
【特許文献４】特開平11-222886
【特許文献５】特開1999-036383
【発明の開示】
【発明が解決しようとする課題】
【０００４】
本発明は、盤体と脚部からなるブロックの使用に当たり、板材の挿入によりユニットの高さと板材を挿入したユニットの高さが同一となるブロックと板材の形状の提案にある。
【課題を解決するための手段】
【０００５】
本第1の発明は、盤体と盤体に開口し盤体の平面に対し一方向に突出する脚部とからなるブロックであって、前記脚部を対向させて得られるユニットと前記ユニットにおける脚部が接する部分に挿入する板において、前記脚部の底部には溝が設けられ、板と脚部の接する部分は梁とされ、梁は上下対称に脚部の溝に嵌合するように設けられたユニットと板との組み合わせになる部材であり、
本第２の発明は上記部材を前後左右に配置して得られた構造部材である。
【発明の効果】
【０００６】
本第1の発明は、盤体と盤体に開口し盤体の平面に対し一方向に突出する脚部を有するブロックの脚部を対向させて得られるユニットと前記ユニットの脚部の接する部分に挿入する盤体と板において、前記脚部の底部には溝が設けられ、板と脚部の接する部分は梁とされ、梁は上下対称に脚部の溝に嵌合するように設けられた盤体と板との組み合わせになる部材であるため、ユニットの高さと板材を挿入されたユニットの高さが同一となる。第２の発明は、ユニットと板材を挿入されたユニットの高さが同じなため両ユニットを混在させて使用しても構造部材の形状に乱れが生ずることがない。
【図面の簡単な説明】
【０００７】
【図１】は、本第1の発明に使用するブロックとユニットの概念図である。
【図２】は、本第１の発明に使用する板材の概念図である。
【図３】は、板材を挿入したブロックの概念図である。
【図４】は、本第２の発明である構造部材の利用方法の例１を示す概念図である。
【図５】は、本第２の発明である構造部材の利用方法の例２を示す概念図である。
【発明を実施するための形態】
【０００８】
以下、本第１の発明を図によって、より詳細に説明する。
図１ａはブロックの一例を示す。図に示すようにブロックは盤体と盤体に開口する断面円形の脚部からなる。脚部底面には十字形に溝が設けられ、後述する板材の梁部が嵌合できるようになっている。溝は十字形に限ることはないが、脚部の中心に対し対称に設けることが好ましい。図では脚部底面の端から端まで溝が存在するように示してあるが、一般的には脚部底面の中心には透孔が設けられ、流体の流通が図られるようになっている。
盤体は一般的にはリブとリブ間の薄板で以って構成され、薄板には上下に貫通する透孔が適宜設けられている。脚部は図では一本であるが複数あってもよく、脚部の形状は円筒に限らず、角筒、梅鉢その他異なる形状を適宜選択することができる。また底部から盤体に向け広がるようなテーパーを設けることができる。
図１ｂは、上記ブロックをその脚部を対向させて得られたユニットを示している。
【０００９】
図２は、挿入する板材を示す概念図である。ブロックの脚部が接する部分は図１に示す脚部の外形に合わせ円形とされ、円内に十字の梁が設けられている。前記円内の梁以外の部分は透孔となっていることはいうまでもない。板材も盤体と同様リブと薄板からなり、薄板には適宜透孔が設けられている。円形内の梁の幅は脚部底部に設けられた溝の幅に合わせられ、梁の高さは脚部底部に設けられた溝の深さの倍に合わせられ、図３に示すように、脚部底部が互いに接触できるようになっている。
【００１０】
図４は、板材を挿入したユニットを前後左右上下に配置した構造部材とし、当該構造部材を地下に配設し、その周囲をシートで覆い雨水流出抑制施設として使用する例を示している。泥だめ枡、流入管、溢流管、オリフィス等の付帯設備等は必要に応じ設置される。
【００１１】
図５は、上記構造部材を道路下、軟弱地盤上に配設し、周囲を透水性のシートで覆い、軽量盛土の芯として使用する例を示している。
【産業上の利用可能性】
【００１２】
雨水の流出抑制施設である雨水の一時貯留用あるいは盛土の芯として利用できる。
【符号の説明】
【００１３】
１  ブロック
１１  ユニット
２２  板材を挿入したユニット
２  盤体
３  脚部
４  脚部底部に設けた溝
５  板材
６  溝に嵌合する梁部
７  リブ
８  薄板
【図１】
2014105559.tif 000003
【図２】
2014105559.tif 000004
【図３】
2014105559.tif 000005
【図４】
2014105559.tif 000006
【図５】
2014105559.tif 000007